(57)【要約】      （修正有）【課題】安価で作成できる拡底式アンカーボルトを提供する。【解決手段】拡底式アンカーボルトは、アンカーボルト部７と、アンカーボルト部７の中間部に挿嵌される筒状スリーブ８とよりなり、アンカーボルト部７は、棒状本体９と、棒状本体９とは別部材で形成されてなる、棒状本体９の先端部に固定される頭部１０とよりなる。筒状スリーブ８の先端部には、筒状スリーブ８が頭部１０に対して相対的に移動した時に、頭部１０に沿って、筒状スリーブ８の先端部の外径が拡大する拡開部８ｂが形成されていることを特徴とする。【選択図】図２
0003201776.tif 000002
【実用新案登録請求の範囲】
【請求項１】
アンカーボルト部と、該アンカーボルト部の中間部に挿嵌される筒状スリーブとよりなり、
上記アンカーボルト部は、棒状本体と、該棒状本体とは別部材で形成されてなる、該棒状本体の先端部に固定される頭部とよりなり、
上記筒状スリーブの先端部には、該筒状スリーブが上記頭部に対して相対的に移動した時に、上記頭部に沿って、上記筒状スリーブの先端部の外径が拡大する拡開部が形成されていることを特徴とする拡底式アンカーボルト。
【請求項２】
上記棒状本体の先端部には、一方のネジ部が形成され、上記頭部には、該一方のネジ部に螺合する他方のネジ部が形成されていることを特徴とする請求項１記載の拡底式アンカーボルト。
【請求項３】
上記頭部は、上記棒状本体を貫通せずに、該棒状本体の先端部で固定されることを特徴とする請求項２記載の拡底式アンカーボルト。
【請求項４】
拡底ピンと、アンカーボルト本体とよりなり、
該拡底ピンは、頭部と、該頭部の後端に設けられたピン部とよりなり、
上記アンカーボルト本体の先端部は、上記ピン部が挿入される孔を有すると共に、上記アンカーボルト本体が上記頭部に対して相対的に移動した時に、上記頭部に沿って、上記アンカーボルト本体の先端部の外径が拡大する拡開部が形成されていることを特徴とする拡底式アンカーボルト。
【請求項５】
上記ピン部にはネジ部を有すると共に、上記アンカーボルト本体の孔には、上記ネジ部に螺合するネジ部を有し、
アンカーボルト本体を上記頭部に対して相対的に移動した時に、上記ネジのネジ山が破壊可能に形成されていることを特徴とする請求項４に記載の拡底式アンカーボルト。
【考案の詳細な説明】
【技術分野】
【０００１】
本考案は、既存のコンクリート構造物に、あと付けで設置する拡底式アンカーボルトに関するものである。
【背景技術】
【０００２】
例えば、トンネル内に吊り下げ方式で設置する構造物等の固定方法としては、あと施工アンカーボルトによる施工が一般に採用されている。
【０００３】
上記従来のあと施工アンカーボルトの設置は、例えば、図１１（ａ）に示すように、コンクリート構造物１の天井面１ａや側面に、ドリルなどにより穿孔して長孔２を設けた後に、該長孔２の底部の内周面を削り、図１１（ｂ）に示すように、先端（上方）に向かうに従って徐々に内径が拡大するテーパー状の孔からなる拡底部２ａを形成する。
【０００４】
そして、図１１（ｃ）に示すように、上記長孔２に、拡底式アンカーボルト３を上記底部まで挿入した後に、図１１（ｄ）に示すように、該拡底式アンカーボルト３の先端部３ａを、上記拡底部２ａ内で拡大させて、これにより、該拡大した先端部３ａが上記拡底部２ａに係止されるから、上記長孔２から上記アンカーボルト３が容易に抜け出ないようになる。
【０００５】
かかる拡底式アンカーボルト３は、例えば、図１２及び図１３に示すように、アンカーボルト部４と、該アンカーボルト部４の中間部に挿嵌した筒状スリーブ５とよりなる。
【０００６】
そして、上記アンカーボルト部４は、棒状の本体部４ａと、該棒状の本体部４ａの先端部に固定された、テーパー部を有するテーパー状頭部４ｂとよりなり、また、上記棒状本体部４ａの後端部には、例えば雄ネジ状のボルト部４ｃが形成され、該ボルト部４ｃは、上記拡底式アンカーボルト３が上記構造物１に固定された後に、上記ボルト部４ｃを介して、上記構造物１に吊下物等が固定されるようになり、また、上記テーパー状頭部４ａのテーパー部は、先端に向かうに従って徐々に外径が拡大するテーパー状に形成されている。
【０００７】
また、上記筒状スリーブ５は、例えば、その先端部周壁に、周方向に沿って、軸方向に延びる複数のスリット５ａを有する、外径が拡大可能な拡開部５ｂを有する。
【０００８】
そして、図１１（ｃ）及び図１２（ａ）に示すように、上記拡開部５ｂが拡大される前の筒状スリーブ５を挿嵌した拡底式アンカーボルト３を上記孔２内に挿入し、該拡底式アンカーボルト３の上記筒状スリーブ５の他端を、上記アンカーボルト部４（頭部４ｂ）に対して相対的に、先端方向に向かって打ち込むことにより、図１１（ｄ）及び図１２（ｂ）に示すように、上記テーパー状頭部４ｂのテーパー部に沿って、上記拡開部５ｂの外径が拡大され、これにより、該拡底式アンカーボルト３の先端部３ａが、上記拡底部２ａ内で拡大するようになる。
【０００９】
上記拡底式アンカーボルトとしては、例えば、特許文献１に記載のものがある。
【先行技術文献】
【特許文献】
【００１０】
【特許文献１】特開平１１−１０８８１５号公報
【考案の概要】
【考案が解決しようとする課題】
【００１１】
しかしながら、上記アンカーボルト部４は、本体部４ａと頭部４ｂとの全体を、削り出しにより形成しているので、手間と製造コストがかかるという問題点があった。
【００１２】
本考案は、上記問題点を解決したものである。
【課題を解決するための手段】
【００１３】
本考案の拡底式アンカーボルトは、アンカーボルト部と、該アンカーボルト部の中間部に挿嵌される筒状スリーブとよりなり、上記アンカーボルト部は、棒状本体と、該棒状本体とは別部材で形成されてなる、該棒状本体の先端部に固定される頭部とよりなり、上記筒状スリーブの先端部には、該筒状スリーブが上記頭部に対して相対的に移動した時に、上記頭部に沿って、上記筒状スリーブの先端部の外径が拡大する拡開部が形成されていることを特徴とする。
【００１４】
また、上記棒状本体の先端部には、一方のネジ部が形成され、上記頭部には、該一方のネジ部に螺合する他方のネジ部が形成されていることを特徴とする。
【００１５】
また、上記頭部は、上記棒状本体を貫通せずに、該棒状本体の先端部で固定されることを特徴とする。
【００１６】
また、本考案の拡底式アンカーボルトは、拡底ピンと、アンカーボルト本体とよりなり、該拡底ピンは、頭部と、該頭部の後端に設けられたピン部とよりなり、上記アンカーボルト本体の先端部は、上記ピン部が挿入される孔を有すると共に、上記アンカーボルト本体が上記頭部に対して相対的に移動した時に、上記頭部に沿って、上記アンカーボルト本体の先端部の外径が拡大する拡開部が形成されていることを特徴とする。
【００１７】
また、上記ピン部にはネジ部を有すると共に、上記アンカーボルト本体の孔には、上記ネジ部に螺合するネジ部を有し、アンカーボルト本体を上記頭部に対して相対的に移動した時に、上記ネジのネジ山が破壊可能に形成されていることを特徴とする。
【考案の効果】
【００１８】
本考案によれば、従来一体に成形されていたアンカーボルト部を、棒状本体と頭部とを別体で形成し、これらを固定することによりアンカーボルト部を形成したので、安価で拡底式アンカーボルトを作成することができる大きな利益がある。
【図面の簡単な説明】
【００１９】
【図１】本考案の拡底式アンカーボルトの説明用正面図である。
【図２】本考案の拡底式アンカーボルトを分解した説明用正面図である。
【図３】本考案の拡底式アンカーボルトの筒状スリーブの説明用左側側面図である。
【図４】本考案の拡底式アンカーボルトの使用状態の説明図である。
【図５】本考案の拡底式アンカーボルトの使用状態の説明図である。
【図６】本考案の第２の実施例の拡底式アンカーボルトの説明用正面図である。
【図７】本考案の第２の実施例の拡底式アンカーボルトの分解した説明用正面図である。
【図８】本考案の第２の実施例の拡底式アンカーボルトのアンカーボルト本体の説明用左側側面図である。
【図９】本考案の第２の実施例の拡底式アンカーボルトの使用状態の説明図である。
【図１０】本考案の第２の実施例の拡底式アンカーボルトの使用状態の説明図である。
【図１１】従来の拡底式アンカーボルトの使用状態の説明図である。
【図１２】従来の拡底式アンカーボルトの説明図である。
【図１３】従来の拡底式アンカーボルトを分解した説明用正面図である。
【考案を実施するための形態】
【００２０】
以下図面によって本考案の実施例を説明する。
【実施例１】
【００２１】
図１〜図３に示すように、本考案の拡底式アンカーボルト６は、アンカーボルト部７と、該アンカーボルト部７の中間部に挿嵌される筒状スリーブ８とよりなり、上記アンカーボルト部７は、棒状本体９と、該棒状本体９とは別部材で形成してなる、上記棒状部材９の先端部に固定される頭部１０とよりなり、また、上記筒状スリーブ８は、上記従来と同じ構造であり、例えば、その先端部周壁に、周方向に沿って、軸方向に延びる複数のスリット８ａを有する、外径が拡大可能な拡開部８ｂを有する。
【００２２】
そして、上記アンカーボルト部７の棒状本体９は、その後端部には、例えば、雄ネジ状のボルト部９ａが形成されると共に、先端部には、頭部固定用雄ネジ部９ｂが形成され、例えば、ボルトからなる。また、上記頭部１０は、先端に向かうに従って徐々に外径が拡大するテーパー部を有すると共に、後端面の中心に、軸方向に延びる、上記棒状本体９の雄ネジ部９ｂに螺合可能な雌ネジ部１０ａが形成され、例えば、ナットからなる。
【００２３】
なお、上記アンカーボルト部７のボルト部９ａは、上記拡底式アンカーボルト６を上記構造物１に固定した後に、上記ボルト部９ａを介して、上記構造物１に吊下物等を固定等するために用いられる。
【００２４】
また、上記アンカーボルト部７の頭部固定用雄ネジ部９ｂの長さは、上記頭部１０を上記棒状本体９に螺合した時に、該頭部１０が、上記棒状本体９を貫通せずに、先端部で固定される長さに形成されるのが好ましい。
【００２５】
本考案は上記構成であるから、アンカーボルト部の棒状本体９と頭部１０とを別体で形成し、該別体で形成した棒状本体９と頭部１０とを、ネジ部１０ａとネジ部９ｂとを螺合して固定し、アンカーボルト部７を形成する。そして、該アンカーボルト部７に、拡開部８ｂが拡大していない筒状スリーブを挿通して、拡底式アンカーボルト６を形成する。
【００２６】
そして、図４に示すように、例えば、構造物１の壁面１ｂに形成された、拡底部２ａを有する長孔２内に、上記拡底式アンカーボルト６を上記底部まで挿入した後に、上記拡底式アンカーボルト６の上記筒状スリーブ８の後端のみを、上記構造物１及びアンカーボルト部９（頭部１０）に対して相対的に、先端方向に向かって打ち込む。これにより、図５に示すように、上記テーパー状頭部１０のテーパー部に沿って、上記筒状スリーブ８の拡開部８ｂの外径が拡大し、これにより、上記拡底式アンカーボルト６の先端部が上記拡底部２ａ内で拡大して、これにより、該拡開した上記先端部８ｂが上記拡底部２ａに係止させて、上記長孔２内から上記拡底式アンカーボルト６が容易に抜け出ないようになる。
【００２７】
本考案においては、従来一体に成形されていたアンカーボルト部を、棒状本体と頭部とを別体で形成し、これらを固定することによりアンカーボルト部を形成したので、安価で拡底式アンカーボルトを作成することができる大きな利益がある。
【実施例２】
【００２８】
図６〜図８は、本考案の第２の実施例の拡底式アンカーボルト１１を示し、該拡底式アンカーボルト１１は、拡底ピン１２と、棒状のアンカーボルト本体１３とよりなる。
【００２９】
そして、上記拡底ピン１２は、頭部１２ａと、該頭部１２ａの後端に固定された棒状のピン部１２ｂとよりなり、上記頭部１２ａは、先端に向かうに従って徐々に外径が拡大するテーパー部が形成され、また、上記ピン部１２ｂの後端部には、後述する上記アンカーボルト本体１３の孔部に形成した雌ネジ部１３ｄに螺合される雄ネジ部１２ｃが形成されている。
【００３０】
また、上記アンカーボルト本体１３は、先端面中央から軸方向に延びる、上記ピン部１２ａが挿入される孔部１３ａと、先端部に設けた、外径が拡大可能な拡開部１３ｂと、後端部に設けた、例えば、軸方向に延びる雌ネジ状のボルト部１３ｃとよりなる。
【００３１】
また、上記孔部１３ａには、上記拡底ピン１２の雄ネジ部１２ｃに螺合可能な雌ネジ部１３ｄが形成され、該雄ネジ部１３ｄと雌ネジ部１２ｃとは、仮止めとして利用されるもので、後述するように、アンカーボルト本体１３を上記拡底ピン１２に対して相対的に、打ち込んだ時に、ネジ山が容易に破壊されて、上記ピン部１２ｂが上記孔部１３ａ内を移動可能に形成されている。
【００３２】
なお、上記孔部１３ａの開口縁は、後述する上記頭部１２ａが挿入されやすいように、先端に向かって徐々に内径が拡大するテーパー状のテーパー部１３ｅを形成してもよい。
【００３３】
また、上記拡開部１３ｂは、上記アンカーボルト本体１３の先端部の外壁面から上記孔部１３ａまで貫通する、周方向に沿って、軸方向に延びる複数のスリット１３ｆからなる。
【００３４】
また、上記アンカーボルト本体１３のボルト部１３ｃは、該ボルト部１３ｃを利用して、上記構造物１に吊下物（固定物）が固定されるようになる。
【００３５】
本考案の第２実施例は上記構成であるから、上記拡底ピン１２と上記アンカーボルト本体１３とを別体で形成し、該別体で形成した拡底ピン１２と、上記拡開部１３ｂが拡大していない上記アンカーボルト本体１３とを、ネジ部１２ｃに１３ｄを螺合して固定し、拡底式アンカーボルト１１を形成する。
【００３６】
そして、図９に示すように、例えば、構造物１の壁面１ｂに形成された、拡底部２ａを有する長孔２内に、上記拡底式アンカーボルト１１を上記底部まで挿入した後に、上記拡底式アンカーボルト１１の上記アンカーボルト本体１３の他端を、上記構造物１及び拡底ピン１２（頭部１２ａ）に対して相対的に、先端方向に向かって打ち込む。これにより、図１０に示すように、上記頭部１２ａのテーパー部に沿って、上記アンカーボルト本体１１の拡開部１３ｂの外径が拡大し、これにより、上記拡底式アンカーボルト１１の先端部が上記拡底部２ａ内で拡大して、これにより、該拡開した上記先端部が上記拡底部２ａに係止させて、上記長孔２から上記拡底式アンカーボルト１１が容易に抜け出ないようになる。
【００３７】
本考案においては、従来一体に成形されていた拡底式アンカーボルトを、拡底ピンとアンカーボルト本体とにより形成し、これらを固定することにより拡底式アンカーボルトを形成したので、安価で拡底式アンカーボルトを作成することができる大きな利益がある。
【符号の説明】
【００３８】
１      構造物
１ａ    天井面
１ｂ    壁面
２      長孔
２ａ    拡底部
３      拡底式アンカーボルト
３ａ    先端部
４      アンカーボルト部
４ａ    本体部
４ｂ    頭部
４ｃ    ボルト部
５      筒状スリーブ
５ａ    スリット
５ｂ    拡開部
６      拡底式アンカーボルト
７      アンカーボルト部
８      筒状スリーブ
８ａ    スリット
８ｂ    拡開部
９      棒状本体
９ａ    ボルト部
９ｂ    ネジ部
１０    頭部
１０ａ  ネジ部
１１    拡底式アンカーボルト
１２    拡底ピン
１２ａ  頭部
１２ｂ  ピン部
１２ｃ  ネジ部
１３    アンカーボルト本体
１３ａ  孔部
１３ｂ  拡開部
１３ｃ  ボルト部
１３ｄ  ネジ部
１３ｅ  テーパー部
１３ｆ  スリット
【図１】
0003201776.tif 000003
【図２】
0003201776.tif 000004
【図３】
0003201776.tif 000005
【図４】
0003201776.tif 000006
【図５】
0003201776.tif 000007
【図６】
0003201776.tif 000008
【図７】
0003201776.tif 000009
【図８】
0003201776.tif 000010
【図９】
0003201776.tif 000011
【図１０】
0003201776.tif 000012
【図１１】
0003201776.tif 000013
【図１２】
0003201776.tif 000014
【図１３】
0003201776.tif 000015